(57)【要約】      （修正有）【課題】あふれる現代の情報を効率的に処理する。【解決手段】１０４０レベルにある超電動と超流動現象に特有の量子力学、ニュートン物理、相対論を統一したような現象を真に実用化することが必要である。それをリーマン予想、ゴールドバッハ予想を解決したその新しい６元数体の技術でそのような統一物理の実用化を可能にした。【選択図】図１
2011181054.tif 000002
【特許請求の範囲】
【請求項１】
従来素子を使った論理量子コンピュータ。
【請求項２】
本論理量子コンピュータを使って開発する超伝動コンピュータ素子及び一般超電動体物質の製造法。
【請求項３】
本論理量子コンピュータ及び第５項のコンピュータでの重力波検出天文観測装置及び防災システム。
【請求項４】
本論理量子コンピュータ及び第５項のコンピュータで開発する超流動物質及び製造方法並びに応用機器ホログラム映像装置、視覚再生装置。
【請求項５】
本論理量子コンピュータで製造する超電動素子を使った論理量子コンピュータ。
【請求項６】
本論理量子コンピュータ及び第５項のコンピュータと写真、声紋などのデータで作る個体認証システム装置及び暗号システム。
【請求項７】
本論理量子コンピュータ及び第５項のコンピュータによる原子炉の制御システム。
【請求項８】
第４項の技術で造るマイクロマシン。
【請求項９】
本論理量子コンピュータ及び第５項のコンピュータを使うネットワークセキュリティーシステム及びウイルス対策、不正アクセス対策等、セキュリティシステム装置。
【請求項１０】
本論理量子コンピュータを使うノイマン型コンピュータの経済的改善補助装置。
【請求項１１】
本論理量子コンピュータを使う旅客輸送及びそのコンピュータ制御装置、通信、ネット検索、自動翻訳。
【請求項１２】
本論理量子コンピュータを使うタンパク質解析装置及びタンパク質の加工、人工タンパクの製造と製造装置。遺伝子治療、ガン治療、ウイルス性疾病治療、プリオン解毒、アレルギー性疾病治療の方法及び薬、治療器具。
【発明の詳細な説明】
【技術分野】
【０００１】  この発明は新しい型のコンピュータ、超電動物質、超流動物質の製造、量子コンピュータ、重力波検出装置、ホログラム映像装置、個人認証装置、暗号システム、原子炉制御、タンパク質解析合成、旅客輸送システム、及び制御システム、通信、ネット検索、自動翻訳、遺伝子治療、ガン治療、マイクロマシンに関するもの。
【背景技術】
【０００２】  量子コンピュータの物理構成には、現在、量子スイッチ、イオントラップ量子コンピュータ、キャビティＱＥＤ、ＮＭＲ、超電動などがある。
【発明の概要】
【発明が解決しようとする課題】
【０００３】  現代のノイマン型コンピュータには、物理的限界が迫り、計算量の問題が生じ、大量に発生するデータの処理が十分にできない状態になりつつある。
もともとコンピュータは大量のデータをよく整理し、効率的に価値判断が出来るようにするためのものである。しかし現代ではその効率よりも慢性的に多くのデータが生じ、そしてデータの中には質の悪いデータもあふれている。
そこで量子コンピュータが期待されているが、十分なものは出来ていない。
もとよりどんな機械も科学技術も、使用者によく反応し合理的な使用を潜在的に要求する。しかしそれは十分ではないようだ。弊害の可能性があるのも事実である。技術者はよくその可能性に対応しなければならないけれど情報処理が混乱するのであれば、開発の段階からの理想的な対策は困難である。
本出願者は物理的な構成だけではない量子コンピュータを開発し、十分な量子ビット量子論理ゲート、デコヒーレンス時間をもたらす技術を提供しようとするものである。
そして技術の持つ使用者に健全性、人間性を要求するよい機能をいっそう高める技術を提供しようとするものである。
【課題を解決するための手段】
【０００４】  このような目的のために必要な手段を１２項目、提示し、１つ１つ説明する。
第１項
本発明者は次のようにコンピュータを構成する。
図１に示すように第１、第２座標を、従来からある素子で構成する。
第１座標面の物理軸に単位として、電子の異常磁気モーメント
ａｅ−（実験値、＝１．１５９６５２２００（４０）×１０−１２…）を設定し、対象データ、科学データ、などに１つ１つ個別に、この単位を掛け、規準値としてあらかじめ目盛った目盛りの間をその数値の第１桁の数字で位置を決め埋めてゆく。この場合全座標面を埋めるためデータの桁が充分でなければ、充分な個数のデータをつなげ埋めるものとする。これが入力である。規準目盛りとは単位としたもの、レムニスケート  周率、（２．６２２０５…）重力定数などである。この場合も充分な桁がない時は、規準とするにふさわしい先の規準数値に近い物理数値をつないで線全体をうめることとする。対象データは時系列、空間系列は無論、位相空間座標系列などから単一系列を選び出来るだけ１様性あるように並べることとする。次に数学軸と名付けた縦の線には、単位として、ファイゲンバウム数、
2011181054.tif 000003
あらかじめ目盛り、その間を先の対象データと同じものに、今度は変えた単位を掛け、縦の座標を埋める。埋め方は横と同じく全体を埋めなければならない。ここで単位とした２数は、現在において最も精密な数値で、それ自体１０４０レベルのものである。そのため、たとえ対象データの桁が数桁であっても掛け合わせてつないだものは、原理的にでなくても事実上の超越数類似として扱うことが出来る。この第１面は主に微分・偏微分方程式、シユレジンガー方程式などを解析するためのものである。次に第２面は１面と同じ格子座標とは別に、その中心から外へ格子枡をつたって螺旋の回路を設定してある。第１象限の４５°の半直線で、螺旋は外へ回る。縦の線には、０から光速度（２，９７９２４５８…）までを座標面の分割数で分割し、その順序で９６から４まで２４分割した値を、繰り返し掛け、さらに、
2011181054.tif 000004
り換えたもので目盛る。充分な桁がない時には、数値９６なら９５．９９９…に変え全体を埋めることとする。対象データは原データのまま螺旋の中心から外へ螺旋上に並べ全体を埋める。この面は主に抽象数学、群環、体、コホモロジー圏などの解析をするためのものである。座標面の解析を説明する。データの数値、規準目盛りの数値の縦横の交点には２つの数字が入力されている。この状態で、０の個数、００の個数０と０の間隔（たて．よこ対角線）軸からの距離などを必要なだけ記録しておく。次に１つの桁上の２数を、ｉｊの順序（たて．よこ）の順序でｉ−ｊをして、その値を先の数字対と入れ換える。この状態で０の個数間隔（たて、よこ、対角）軸からの距離を記録する。この２段階の記録を２面で行い、あとはあらかじめ、この記録の規準となるデータと比較を行うだけである。規準データとは、第１面に対しては、微分方程式偏微分方程式、シュレジンガー波動方程式などの典型的なものの任意頃に任意に対象データのレベルに近い値を代入して、厳密解にして、これをデータとして、この２面に施した同じ操作と記録をした結果のデータのことである。第２面に対しては、群、環、体、コモホロジー圏、行列、テンソルなどの抽象数学の典型的論理式の任意部分、すなわち、合同類、ホモトピー類などに、対象データのレベルに近い拡大体を任意に設定し１種の厳密解を作りそれをデータとし第２面に施した操作と記録をした結果のデータのことである。あとで数学的証明をするが、この段階で原データの持つ関数が充分に解析出来るのである。この重層している８回のあいまいな数値の記録が、回路を直列につないだり分離したりすることで、連続的に何回でも、フーリエ変換をして、原理的にいくらでも精密な定量科学をつくるのである。第２面の数字の単一化は（ｉ−ｊ−螺旋の数字）３→２→１【０００５】  ６元数体の公理、
（０，１）２（０，ｉ）２（０ｊ，ｊ０ｊ）２（０ｋ，ｋ０ｋ）２（０１，ｊ０１）２（０２，ｋ０２）２＝−（０，１）
（０，１）の自由度±３６０°回転＝０回転、中間値全てを含む、伸縮０、
（０，ｉ）の自由度±９０°回転＝１８０°回転、伸縮±１、中間値全てを含む、
（０ｊ，ｊ０ｊ）の自由度±４５°回転＝９０°回転、中間値全てを含む、伸縮０、
（０ｋ，ｋ０ｋ）の自由度０回転、伸縮±１／２＝１、中間値全てを含む、
（０１，ｊ０１）の自由度０回転、伸縮±１／２＝１、中間値全てを含む、
（０２，ｋ０２）の自由度±４５°回転＝９０°回転、中間値全てを含む、伸縮０、
他の有限数は、１０進法の単位１が０の変換６回で桁上がり、桁下がりして、
１→２→１、２→３→２…となるものとする。自由度なし
（１，∞）（偶整数∞）（奇整数∞）（有理数∞）（代数的数の∞）（超越数∞）
（１，∞）の自由度回転なし、伸縮±１∞だけで出来る中間値全てを含む、
（偶整数∞）の自由度±９０°回転＝１８０°回転、伸縮±１／２∞偶整数だけで出来る中間値全てを含む、
（奇整数∞）の自由度±４５°回転＝９０°回転、伸縮±１／２∞奇整数だけで出来る中間値全てを含む、
（有理数∞）の自由度±４５°回転＝９０°回転、伸縮±１／２∞有理数だけで出来る中間値全てを含む、
（代数的数、無理数の∞）の自由度±９０°回転＝１８０°回転、伸縮±１／２∞代数的数、無理数だけで出来る中間値全てを含む、
（超越数∞）の自由度±３６０°回転＝０回転、伸縮±∞あらゆる数で出来る中間値を全て含む。
（全ての∞）２＝−（１，∞）
（個別的及び全体∞）２＝−（１，∞）
（個別的異なる∞の相互作用）＝段階下の∞が符号及び自由度を決定する。
（個別的∞とその他の有限量及び０との相互作用）＝その無限（∞）を１段階下の無限に変え、符号及び自由度は変化なし。
（（１，∞）とその他の有限数との相互作用）＝符号は（１，∞）が決定し、自由度は消滅。
（（１，∞）と０との相互作用）＝符号は（１，∞）が決定し、自由度は０が決定する。
（０と有限数の相互作用）＝６回に１回、６進法で有限数全桁桁下がり。
（（０，１）とその他の異なる０の相互作用）＝符号は（０，１）が決定し、自由度の大きさは他の０が決定する。
（（０，１）以外の０の相互作用）＝符号は自由度の小さい方の０が決定し、自由度の大きさは大きい方が決定する。【０００６】  この公理を使った数学問題の証明
2011181054.tif 000005
フェルマー予想
2011181054.tif 000006
2011181054.tif 000007
整数に見なせる。しかも下限があるだけであって上限はない。Ｘｎ＋Ｙｎ＝Ｚｎの整数解は存在する。有限でも位相を変えない。
ゴールドバッハの予想
Ｘ１＋Ｙ１＝Ｚ１奇素数＋奇素数＝合成数
フェルマー予想の整数解は任意だから必ず奇素数のＸＹ解がある。予想は真。
２子素数は無限にある。
任意の３連数をｎ乗根にして、それぞれに（１０３００）以上の０をはさめば位相を変えない。ｎ乗根が有限数になるものを選び、３連数に桁乗した０を追加すれば、素数はユークリッドの証明のように無限にあるので桁は任意ではないが、素数解は無限にある。
ポアンカレの予想
量を無視する公理があれば、リーマン面は裏返しにすることが出来る。中心の留数のループを外のループに変換出来る。原点のループはゲーデルの完全性定理、外周のループは不完全性定理。どんな球面にもこの２種のループがあり１のｍｏｄに対応する。ポアンカレ予想は真。リーマン予想には、人間の造れるようなそして物質界が作れるような、この２種のループ（自由度）がない。最終的には理論の０点はこの２種のループに収斂しなければならないものである。【０００７】リーマン予想
π（χ）−Ｌｉ（χ）の振動
Ｌｉ（χ）の最初の符号の変化ｔｅＲｉｅｌｅの限界、χ≦６．６９×１０３７０、→本出願者の予想リ−マン面３層の値
Ｌｅｈｍａｎの限界χ≦１．６５×１０１１６５→本出願者の予想リーマン面３層の値（１０３７０）の３乗１０１１１０
リーマン予想には有限時間すなわち有限の周期の概念がない。多すぎる時間が結合している。論理にも有限時間はある。多体問題にはこの有限時間が必要である。現実の論理では、数体系の０点は相互作用の出来る間は、数体系変換の途上でも０点として機能し座標面全体に散在している、
Ｒｅ  ｓ≦１／２は偽。
真の可換図式は三角不等式である。しかしリーマンゼータの多すぎる時間は格子状の可換図式を含んでいる。解析接続と関数等式で三角不等式を重ねたために省いた特異点を復活させている。６元数体では、３．０４１５…は真に並べられる超越数である。
多すぎる周期一無限の周期には背理法の数と同じものがある。どちらか一方の三角不等式を省いた無限解析の方法があったのである。カントールの対角線に造られた数は、数大系を下げた代数的数である。この背理法は成立しない。すなわち数体系の下がったものが生じ増加し、この理論では最終的Ｒｅｓ＝１／２になる。ｍｏｄ２，５のことである。２ｍｏｄ３＝（−）３≡２ｍｏｄ５加法＝乗法２＋２＝２・２関数等式は加法と乗法の２つの可換性（２つの三角不等式＝三角等式）、解析接続は乗法の１つの可換性、合計３の三角等式、１つ加法の対角線が欠けた格子状可換性、すなわちｍｏｄ２，５。
１７＝１ｍｏｄ２≡２ｍｏｄ３≡５ｍｏｄ６≡−１ｍｏｄ２≡−１ｍｏｄ３≡−１ｍｏｄ６
ｍｏｄ３の１／３、＝２ｍｏｄ３は実軸の真に不可逆の時間。すなわち有限∧無限の公理を作ればリーマン予想は真。有限∧無限の不可逆時間のこと（事実上の無限時間）。
−１ｍｏｄ６≡（６＋２＝８）×３＝２４≡０ｍｏｄ１≡（−１）ｍｏｄ０≡∞≡０ｍｏｄ∞≡−１ｍｏｄ３≡（すなわち素数体系には２子素数、３進法の法則がある。）
１進法の周期は最大であり、それと関数等式の無限周期が完全に可換だとすると、１進法が省かれる。＋実軸の最大時間が失われる。そのための１桁の分類が必要なのである。
2011181054.tif 000008
これで２と３と６のｍｏｄは１と０しかないことになる。すなわち２ｍｏｄ３と１，０ｍｏｄ３は極端に周期の位相が近いことを示している。６のｍｏｄはこの２，３のｍｏｄを分類している。１／２（２，０．５）≡２ｍｏｄ３≡−１ｍｏｄ６≡０ｍｏｄ１≡リーマンの０点
2011181054.tif 000009
【０００８】  ６元数体を使った物理の証明
この無限演算は形式的な無限の周期を計算するだけである。抽象数学が意味を持っているのは、その関数に誤差があるためである。この誤差が同形類のより多い小さな数のｍｏｄ、小さい次元の周期を解消して有意にしている。物理ではそれにくわえて粒子数、物理量が有意な数理を作る。すなわち量子力学の量子である。このリーマン面の４５°線は半透鏡になっていて量子の重ね演算を可能にしている。解析接続をこの線に回転させている。１／２ｍｏｄ２，５。０をはさみ込むのはこの無意味な小さい周期、数の多い周期をその０の中で消費して位相を変えないようにするためである。
フラクタル定数、電子の異常磁気モーメントは１０４０レベル、ディラックのいろいろな大数も１０４０。宇宙全体の周期の平均を３とすると、（１０４０）３＝１０１２０。これをリーマン面１層の相互作用とすると、（１０１２０）６＝１０７２０が全宇宙の相互作用量、（±３層で６乗）、１０４０をマクロ系の消費の単位とすると、１０３７０÷（１０４０×１０１０（宇宙年齢））≒１０７マクロ系が出来た年齢（クエーサー）１０８。
マクロ系の質量欠損は、９６：４背景放射のゆらぎは理論値：観測値で１０：１マクロ系の自由度＝理論の自由度９６：４＝２４：１。【０００９】１．カントールが対角線に作った数は、数体系の段階を１つ下げた代数的数。それで作った新しい超越数の表は１桁では位相が変わらないからカントールが生産した新しい超越数の表、代数的数では超越数は並べられない。背理法の背理法、π＝３．１４１５…超越数、３．０１４１５…代数的数、３．０４１５…新しい超越数。
２．フェルマー予想  無限の周期をＸ，Ｙ，Ｚ整数３つの周期に１ステップでは変えられない。背理法、Ｘｎ＋Ｙｎ＝Ｚｎ  ｎ＝無限の周期、Ｘ，Ｙ，Ｚ＝３つの周期  ｎを３つに区切れば可能。
３．ゴールドバッハの予想  １の剰余は０、∞、０の剰余は１と∞  ２進法、合成数のｍｏｄは奇素数と２、奇素数のｍｏｄは２と合成数  ２進法、一致するので真。
４．２子素数は無限にある  ３進法は無限、素数、合成数、素数。
５．リーマン予想  無限の周期を何の加工もしないで、別の無限周期に変える方法はない、関数等式から解析接続への変換は別に改めて関数の加工を必要とする。
Ｒｅ．Ｓ≦１／２の周期は２と５、無限の周期は、２，５のｍｏｄに１ステップないし有限ステップ、人間の作れるステップでは変換出来ない、有限∧無限の公理を作れば真。【００１０】  生産の公理、循環形宇宙の公理
カントールの１桁変化した超越数は生産である。
（任意の整数の下１桁を（１，３，７，９）のどれか１つにする）（すべての６元数の０）（左右の整数と３連数になる任意の整数）（すべての６元数の∞）（任意の整数の下１桁を３連数になるように選ぶ）（（１，∞）の加法の公理）（任意の素数）（（１，∞）の素数に関する加法の公理→位相は素数が決定し、大きさは（１，∞））が決定する）【００１１】第２項
第１項で説明した、本発明装置論理量子コンピュータを使って、超伝動素子を開発する。開発製造に対して最も必要なものは論理が主体であることである。情報機器のおいては特にそうである。超電動物質においてはクーパー対の理論が主流である。しかし、本出願者の理論からとすると、この対は同じ種類の２つの電子の玉付きするような対ではない。点粒子としての電子には、繰り込み不可能な無限がある。
そして２座標面の単位として選んだのはこの無限と戦ったあとの数値である。それならば、本出願者の６元数の６種類の０点を使うシュレジンガー方程式をつくり、この座標面で解析を試みるべきである。点粒子なら弾性衝突に無理があり、単なる相互作用では観測されるような大量の連動運動になりそうにない。あらゆる数学、あらゆる物理（相対論、ニュートン物理、量子力学）を統一するようなこの超電動流動の領域は本発明の課題にふさわしい。６元数、２対、３組虚数共役の０点を、３つの物理、生成消滅の３対仮想粒子土電子不確定性、相反物理量の３組に対応させる。自己相似の階層はいくらもある。そのすべてを総合したものすなわち集団性を分析出来る。量子の重ね演算、局所性非局所性の演算である。１ビット１素子では超電動の価値を無駄にしている。超伝導率などの率を量子化出来る可能性がある。本出願者が請求項２としているのは１素子の集団量子の多量、大量ビットの演算が出来る超電動素子のことである。それは統計的なものになる場合もある。しかし十分な精度に出来る。場合によっては論理量子コンピュータを数台直列に結合してもっと精度を上げてもよい。【００１２】第３項
第２項説明中の１０４０レベルの精度の実現と同じ。その精度で重力波を検出出来れば、災害の予知に利用し防災に貢献出来る。重力波検出器はあらゆる天文観測の基準になる。
第４項
超流動現象に対し、今度は物の表面をなぞる物理量（真空の物理量の物質による変化のこと）、内部のほとんどを占める真空の物理場をなぞる物理量を本発明者の６元数の０点に対応させれば、２種のホログラムが出来る。トンネル効果もホログラムを含む。このホログラムとは部分が全体の情報にもなる物理現象のことである。
このような大量な量子効果には、量子的には巨大な真空の変異すなわち、もともと量子が持つ非局在性が増強、拡大され機能している。それを普通に近い環境で生産制御出来るようになれば、多種の応用器材が開発出来る。ホログラム映像装置、視覚再生装置。
第５項
第２項で作った素子を第１項のコンピュータに組み入れ及び取リ変えた論理量子コンピュータ。
第６項
論理量子コンピュータ（第５項のコンピュータ）で写真、声紋を解析したホログラム情報にもなるデータは、そのまま個人認証に使えるのでインターネットの重要システムになる。個人認証及び暗号用。他の機械で細部を再現出来ない。
第７項
現在及び未来の原子炉の論理量子コンピュータによる制御。
第８項
第４項の技術でシリコンなどを液体の状態で超流動にし、それを超流動の状態のヘリウムなどと混合し、混合超流動物が出来るならば、それをモデル機械やモデル生物に接触、連動させ模倣させたあと固体化して、マイクロマシン化する。
第９項
論理量子コンピュータの情報処理は、そのままネットワークのセキュリティシステムになる。ウイルス対策、不正アクセス対策。
第１０項
他のコンピュータのまるめ誤差等の改善。（進法特有なものなど）
第１１項
例えば自動翻訳の場合、母音、子音、シラブル、アクセントなどのデータを１０４０レベルでパターン認識出来る類形化を施し、それをコンピュータのＯＳにすれば、後はマイクロコンピュータ程度の情報量を厳密解として入力し、そのソリトン解を得ることで、リアルタイムで機能する論理量子コンピュータが出来る。多体問題の最適組み合わせと、リアルタイムの結合。
第１２項
これらの技術は基本的に同じものである。それらの対象物は代数的数以下のメカニズムで出来ているので、超越数体の情報でそれらを処理すれば、タンパク質合成の技術にもなるし、疾病の治療にもなる。核酸はタンパク質の最善のモデルである。その３単位の明解な符号を、アミノ酸配列に対応させる。
【図面の簡単な説明】
【図１】  本発明の論理量子コンピュータ及び超電動素子を使った論理量子コンピュータが備えている、２つの座標面の図。この図は単純化したものである。実際の座標枡目は出来るだけ多くしなければならない。
【符号の説明】  １．横線
２．縦線
３．対角線
４．螺旋
【図１】
2011181054.tif 000010